(57)【特許請求の範囲】
【請求項１】
地下室の擁壁と建物の基礎とを連結するプレキャストコンクリート製の連結部材であって、
前記建物の基礎に連結される一端面の高さ寸法が当該基礎の高さ寸法と略同一とされ、
前記地下室の擁壁に連結される他端面の高さ寸法が当該擁壁の高さ寸法と略同一とされ、
下面の少なくとも一部が前記基礎側から前記地下室の擁壁側に下り勾配に傾斜した傾斜部とされ、この傾斜部が前記地下室の施工時における縦穴の斜面に対応した傾斜角度を有して形成されていることを特徴とするプレキャストコンクリート連結部材。
【請求項２】
請求項１に記載のプレキャストコンクリート連結部材において、長手方向の両端部には、上下方向に延びて側方に開口した断面略コ字状のコンクリート充填部が形成されていることを特徴とするプレキャストコンクリート連結部材。
【請求項３】
請求項１または２に記載のプレキャストコンクリート連結部材において、前記地下室の擁壁側の下面には、前記他端面および傾斜部の下端同士を結ぶ水平部が形成されるとともに、この水平部には下方に延びる鉄筋部材が設けられていることを特徴とするプレキャストコンクリート連結部材。
【発明の詳細な説明】
【０００１】
【産業上の利用分野】
本発明は、プレキャストコンクリート連結部材に係り、地下室の擁壁と建物の基礎とを連結する際に利用できる。
【０００２】
【背景技術】
新しい居住方式の実現等の要望から地下室を備えた建物が増えている。
この建物の地下室をつくる際には、地下室用の縦穴を掘削し、そこに例えば現場施工、あるいは予め工場で型枠にコンクリートスラリーを打設して製造したプレキャストコンクリート（以下、ＰＣという）製の擁壁を設けて地下室の外部を形成し、次いで擁壁外周の縦穴に土を入れ埋め戻し作業を行っている。
また、建物の基礎をつくる際には、根切り部に基礎用の型枠を設置するとともにこの型枠にコンクリートスラリーを打設し、あるいは、ＰＣ製の基礎材を配置して建物の基礎を施工している。
【０００３】
【発明が解決しようとする課題】
しかし、従来の地下室と基礎との施工方法では、地下室用の縦穴の埋め戻し作業を行なわなくてはならないため、縦穴と基礎の根切り部の施工を同時進行しても、縦穴と基礎の境界部においては、地下室用の縦穴の埋め戻し作業を行なってから基礎を設けなくてはならず、施工期間が長くなるという問題があった。
【０００４】
本発明の目的は、地下室と基礎との施工期間の短縮化が図れるようになるプレキャストコンクリート連結部材を提供することにある。
【０００５】
【課題を解決するための手段】
本発明に係るＰＣ連結部材は、地下室の擁壁と建物の基礎とを連結するプレキャストコンクリート製の連結部材であって、前記建物の基礎に連結される一端面の高さ寸法が当該基礎の高さ寸法と略同一とされ、前記地下室の擁壁に連結される他端面の高さ寸法が当該擁壁の高さ寸法と略同一とされ、下面の少なくとも一部が前記基礎側から前記地下室の擁壁側に下り勾配に傾斜した傾斜部とされ、この傾斜部が前記地下室の施工時における縦穴の斜面に対応した傾斜角度を有して形成されていることを特徴とするものである。
【０００６】
このＰＣ連結部材において、長手方向の両端部に、上下方向に延びて側方に開口した断面略コ字状のコンクリート充填部を形成してもよい。また、本発明において、地下室の擁壁側の水平な下面に他端面および傾斜部の下端同士を結ぶ水平部を形成し、この水平部に下方に延びる鉄筋部材を設けてもよい。
【０００７】
【作用】
このような本発明では、ＰＣ連結部材を、その下面の傾斜部が地下室の縦穴の斜面に沿うように配置できるため、地下室の擁壁と基礎との間で、縦穴の埋め戻し作業を行わなくてもよくなり、その分の手間を省略でき、これにより、地下室と基礎との施工期間の短縮化が図れるようになる。
【０００８】
本発明において、ＰＣ連結部材の長手方向の両端部にコンクリート充填部を形成した場合には、地下室の擁壁および基礎とにＰＣ連結部材の両端部を当接した後、コンクリート充填部内にコンクリートスラリーを打設すれば、このスラリーがコンクリート充填部を通じて地下室の擁壁および基礎に絡み付いた状態で固化し、これにより、ＰＣ連結部材で地下室の擁壁および基礎とを容易かつ強固に結合できる。
【０００９】
また、本発明において、地下室の擁壁側の水平な下面に下方に伸びる鉄筋部材を設けた場合には、ＰＣ連結部材を設置するとき、鉄筋部材を地下室用の縦穴の底部に配置した鉄筋と結合させることができるので、ＰＣ連結部材を安定した状態で固定できる。
【００１０】
【実施例】
以下に本発明の一実施例を図面に基づいて説明する。
図１，２には、地下室２を備えた建物１が示され、この建物１の地下室２と基礎３とは、本実施例に係るＰＣ連結板４で連結されている。このような地下室２の擁壁も基礎３を構成する基礎材も、本実施例ではＰＣ製となっている。
【００１１】
基礎３は、複数のＰＣ基礎材２０を建物１の間取り形状に対応させて形成されている。このＰＣ基礎材２０の両端部２０Ａは断面コ字状となっており、その内部がコンクリート充填部２０Ｓとなっている。このようなＰＣ基礎材２０の両端下部は、根切り部の底に配置したＰＣレベル調整板２３の上に載せられるようになっている。また、ＰＣ基礎材２０の下部にはフーチン部２０Ｃが形成され、側面には人通孔２０Ｂが明けられている。
なお、図１では、ＰＣ基礎材２０の大きさ等は異なっているが、それぞれの構造等はまったく同じなので符号は同一としてある。
【００１２】
地下室２の擁壁として使用されるＰＣ壁部材１０〜１４は、側面ほぼ長方形状に形成され、その両端部１０Ａ〜１４Ａは断面コ字状となっており、その内部はコンクリート充填部１０Ｓ〜１４Ｓとなっている。但し、ＰＣ壁部材１２の一端部およびＰＣ壁部材１３の両端部にはコンクリート充填部が形成されていない。また、ＰＣ壁部材１０〜１４の側面には角形の人通孔１０Ｂ〜１４Ｂが明けられ、作業者はこの人通孔１０Ｂ〜１４Ｂから出入りできるようになっている。
【００１３】
これらのＰＣ壁部材１０〜１４の下面には、図示しないが複数本の鉄筋部材が埋設され、その先端は下方に突出している。これらの鉄筋部材は、地下室用の縦穴１５にＰＣ壁部材１０を設置するとき折り曲げられており、かつ、縦穴１５の底部に配置された多数の鉄筋１６と結合されるようになっている。なお、ＰＣ壁部材１０は縦穴１５の底部に配置されたＰＣレベル調整板１７の上に載せられるようになっている。
【００１４】
前記ＰＣ連結板４は、図３にも示すように、上面４０が直線状となっており、下面４１は、一端面４Ａの高さ寸法で所定寸法水平に延びた第１の下面４１Ａと、一端面４Ａより高い他端面４Ｂの高さ寸法で所定寸法水平に延びた第２の下面４１Ｂと、長手方向の途中においてこれらの第１，２の下面４１Ａ，４１Ｂとを結ぶ傾斜部４１Ｃとで形成され、ＰＣ連結板４全体形状はいわゆるハンチ状となっている。
【００１５】
ここで、ＰＣ連結板４の一端面４Ａの高さ寸法は前記基礎３の高さ寸法とほぼ同じで、他端面４Ｂの高さ寸法は前記擁壁としてのＰＣ壁部材１０〜１３の高さ寸法とほぼ同じとなっている。そして、第１の下面４１Ａの先端は基礎３の前記レベル調整板２３上に載せられ、第２の下面４１Ｂの先端は地下室２のレベル調整板１７に上に載せられるようになっている。
【００１６】
このようなＰＣ連結板４の長手方向両端部４Ｄは断面コ字状となっており、その内部はコンクリート充填部４Ｓとなっている。このコンクリート充填部４Ｓ内には、図３に示すように、例えば鉄筋３０を梯子状に組んだ枠部材３１が挿入されるようになっている。従って、このコンクリート充填部４Ｓ内に枠部材３１を挿入した後、コンクリートスラリーを打設すれば、スラリーが枠部材３１にも絡み付くため、スラリーの固化によって、ＰＣ連結板４と例えばＰＣ壁部材１０等との結合が強固となる。
なお、前記ＰＣ基礎材２０、ＰＣ壁部材１０〜１４におけるコンクリート充填部２０Ｓ、１０Ｓ等の内部にも上記枠部材３１と同様の枠部材が挿入されるようになっている。
【００１７】
また、ＰＣ連結板４の側面には人通孔４Ｅが明けられている。
さらに、ＰＣ連結板４の前記他端部側４Ｂの下面には例えば２本の鉄筋部材４２が埋設され、その先端は下方に伸びている。これらの鉄筋部材４２は、ＰＣ連結板４を設置するとき折り曲げられ、かつ、図４に示すように地下室２用の縦穴１５の底部に配置した鉄筋１６と結合されるようになっている。
【００１８】
このようなＰＣ連結部材４の取り付けは次のように行われる。
すなわち、基礎３においては、根切り部２１の底部に適宜捨てコンを打設し、その後、ＰＣ基礎材２０のフーチン部２０Ｃを捨てコンの上に載せるとともに、両端部をＰＣレベル板２３の上に設置し、ＰＣ基礎材２０と根切り部２１の埋め戻し部２２に土を入れ、埋め戻し作業を行う。
【００１９】
基礎３の施工完了後に、ＰＣ連結板４をその一端面４Ａを基礎３の所定位置のＰＣ基礎材２０に当接させるとともに、下面４１の傾斜部４１Ｃを縦穴１５の斜面に沿わせて配置する。このとき、ＰＣ連結板４の鉄筋部材４２を折り曲げ、かつ、縦穴１５の底部の鉄筋１６と絡ませるとともに結合させ、ＰＣ連結板４を固定する。
【００２０】
次いで、縦穴１５の底部のＰＣレベル板１７上に、ＰＣ壁部材１０〜１４を設置する。このとき、基礎３側に位置するＰＣ壁部材１０をＰＣ連結板４の他端面４Ｂと当接させるとともに、各ＰＣ壁部材１０〜１４の下面に伸びた鉄筋部材を折り曲げ、縦穴１５の鉄筋１６に絡ませて結合させる。
【００２１】
この後、地下室２とＰＣ壁部材１０との間に配置されているＰＣ連結板４のコンクリート充填部４Ｓ内に枠部材３１を挿入するとともに、コンクリートスラリーを打設する。一方で、地下室２の縦穴１５において、ＰＣレベル板１７から所定寸法厚さとなるようにコンクリートスラリーを打設し、地下室２の床面２Ａを形成する。また、ＰＣ連結板４の傾斜部４Ｃの下部にもコンクリートスラリーを打設し、このスラリーでＰＣ連結板４の傾斜部４１Ｃのフーチン部１８を形成する。
次いで、縦穴１５の埋め戻し部１９に土を入れ埋め戻し作業を行う。ただし、地下室２と基礎３との間の埋め戻し部１９’には土を入れず、そのままの状態としておく。
【００２２】
そして、このような基礎３の上に、例えばパネル工法による地上建物６を載せ、地下室２の上にも同様の地上建物７を載せ、これにより、前記地下室付き建物１を建てる。
なお、地下室２は図示しない階段等で地上建物７等と出入りできるようにして例えば居室等として使用してもよく、あるいは地上からスロープを形成して地下室２に行けるようにして車庫等に利用してもよい。
【００２３】
前述のような本実施例によれば次のような効果がある。
すなわち、ＰＣ連結板４には傾斜部４１Ｃが形成されており、この傾斜部４１Ｃを地下室２用の縦穴１５の斜面に沿わせて配置できるので、縦穴１５はそのままでよく、言い換えれば、地下室２と基礎３との間の縦穴１５での埋め戻し作業は行わなくてもよくなり、その分の手間を省略できるため、工期の短縮化が図れるようになる。
【００２４】
また、ＰＣ連結板４の傾斜部４１Ｃの下方には、現場でコンクリートスラリーが打設され、このコンクリートスラリーの部分がＰＣ連結板４のフーチン部１８となるので、ＰＣ連結板４の安定性が増す。
【００２５】
さらに、ＰＣ連結板４の両端部４Ｄには、コンクリート充填部４Ｓが形成されており、両端部４ＤをＰＣ壁部材１０とＰＣ基礎材２０と当接させた後、コンクリート充填部４Ｓ内にコンクリートスラリーを打設すれば、スラリーが両部材に絡み付いた状態で固化するため、ＰＣ連結板４でＰＣ壁部材１０とＰＣ基礎材２０とを容易に結合することができる。その上、コンクリート充填部４Ｓ内には、枠部材３１が挿入されるため、コンクリートスラリーが枠部材３１にも絡み付き、これにより、ＰＣ連結板４とＰＣ壁部材１０およびＰＣ基礎材２０との結合がより強固となる。
【００２６】
また、ＰＣ連結板４には人通孔４Ｅが形成されているので、作業者はこの人通孔４Ｅから入ることができ、これにより、地下室２と基礎３との間でも作業が可能となる。
【００２７】
なお、本発明は前述の実施例に限定されるものではなく、本発明の目的を達成できる範囲であれば次に示すような変形例を含むものである。
例えば、前記実施例では、ＰＣ連結板４はＰＣ基礎材２０で構成された基礎３とＰＣ壁部材１０〜１４からなる擁壁で構成された地下室２を連結するものであったが、これに限らず、現場施工の基礎と現場施工の擁壁とを連結する場合にも利用できるものである。
【００２８】
また、前記実施例では、基礎３を形成した後でＰＣ連結板４を基礎３の所定のＰＣ基礎材２０と当接させ、このＰＣ連結板４と当接させてＰＣ壁部材１０〜１４を設置していたが、これらの部材の設置の順序はこれに限らず、例えばＰＣ壁部材１０〜１４を設置した後でＰＣ連結板４を配置し、次いでＰＣ基礎材２０を設置して基礎３を形成してもよく、あるいは、ＰＣ基礎材２０とＰＣ壁部材１０〜１４とを設置した後、ＰＣ連結板４を嵌め込むようにして設けてもよい。
【００２９】
【発明の効果】
以上で説明したように、本発明によれば、ＰＣ連結部材を、その下面の傾斜部が地下室の縦穴の斜面に沿うように配置できるため、地下室の擁壁と基礎との間で、縦穴の埋め戻し作業を行わなくてもよくなり、その分の手間を省略でき、これにより、地下室と基礎との施工期間の短縮化が図れるようになる。
【００３０】
また、ＰＣ連結部材の長手方向の両端部にコンクリート充填部が形成されているので、地下室の擁壁および基礎とにＰＣ連結部材の両端部を当接した後、コンクリート充填部内にコンクリートスラリーを打設すれば、このスラリーがコンクリート充填部を通じて地下室の擁壁および基礎に絡み付いた状態で固化し、これにより、ＰＣ連結部材で地下室の擁壁および基礎とを容易かつ強固に結合できる。
【図面の簡単な説明】
【図１】本発明の一実施例に係る基礎と地下室とが連結された状態を示す平面図である。
【図２】図１におけるＩＩ−ＩＩ線断面図である。
【図３】本実施例のＰＣ連結部材を示す斜視図である。
【図４】本実施例のＰＣ連結部材の設置状態を示す断面図である。
【符号の説明】
１  建物
２  地下室
３  基礎
４  ＰＣ連結部材
４Ａ  一端面
４Ｂ  他端面
４Ｄ  両端部
４Ｓ  コンクリート充填部
４１  下面
４１Ｃ  傾斜部
４２  鉄筋部材
【図１】
0003602170.tif 000002
【図２】
0003602170.tif 000003
【図３】
0003602170.tif 000004
【図４】
0003602170.tif 000005